(57)【要約】シートマットのセンサセルを、該シートマットが車両に取り付けられることに起因する機械的なプリロードに適合するための方法が提供されている。ここでは診断テスタが、シートマットに設けられた制御装置に接続されている。該診断テスタはシートマットのセンサ値を読み出し、目標値と比較する。それによって補正値が制御装置へ伝送され、制御装置がこの補正値を、次の動作時にセンサ値を較正するために使用する。
2004534685.tif 000002
【特許請求の範囲】
【請求項１】
シートマット（３）のセンサセルを、該シートマット（３）が車両座席に取り付けられることによって生じた機械的なプリロードに適合するための方法において、
診断テスタ（１）が、該シートマット（３）のための制御装置（２）に接続されており、
該制御装置（２）を介して、センサセルのセンサ値を診断テスタ（１）から読み出し、
診断テスタ（１）からのセンサ値を、目標値と比較し、
該制御装置（２）へ、前記センサ値に対する補正値を前記比較に依存して伝送し、センサセルを適合することを特徴とする方法。
【請求項２】
前記補正値を、該制御装置（２）の第１のメモリ（１５）に格納する、請求項１記載の方法。
【請求項３】
センサ値を制御装置（２）から診断テスタ（１）へ伝送する前に、該診断テスタ（１）に対してパスワード問い合わせを該制御装置（２）によって実行する、請求項１または２記載の方法。
【請求項４】
診断テスタにおいて、
制御装置（２）に接続するための第１のデータ伝送インターフェース（１０）と、目標値およびパスワードのための第２のメモリ（１２）と、プロセッサ（１１）とが設けられており、
前記プロセッサ（１１）は、目標値とセンサ値とを比較するために使用される、請求項１から３までのいずれか１項記載の方法を実施するための診断テスタ。
【請求項５】
センサマット（３）のための制御装置において、
診断テスタ（１）に接続するための第２のデータ伝送インターフェース（１３）と、シートマット（３）に接続するための第３のデータ伝送インターフェース（１６）と、プロセッサ（１４）と、メモリ（１５）とが設けられており、
前記プロセッサ（１４）は、センサ値を評価するために使用され、
前記メモリ（１５）は、補正値を記録するために使用されることを特徴とする、請求項１から３までのいずれか１項記載の方法を実施するための制御装置。
【発明の詳細な説明】
【技術分野】
【０００１】
従来の技術
本発明は、独立請求項の上位概念による、シートマットのセンサセルを機械的なプリロード（Vorspannung）に適合させるための方法に関する。
【０００２】
すでにＷＯ９７／１０１１５から、シートマットの各センサセルを機械的なプリロードに適合することが公知である。この機械的プリロードは、シートマットを自動車座席に取り付けることに起因する。このようなシートマットは、人が自動車座席上に存在するか否かということと、この人がどの座席位置を占有しているかということとを検出するために使用される。ここでは場合によっては、この人がどれほど重いかも検出される。このデータは、エアバックを駆動するために使用される。
【０００３】
本発明の利点
それに対して、独立請求項の特徴を有する、シートマットのセンサセルを機械的プリロードに適合するための本発明の方法は、このプリロードが診断テスタによって製造者側で検出され、これによって補正データが導出され、この補正データによって制御装置が構成され、シートマットに対して運転中に測定値が補正されるという利点を有する。こうすることによりシートマットは、取り付け条件が異なっても、機械的プリロードが所定のパラメータ内にあれば常に使用することができ、センサセルは常に、着座している人による載置圧を測定することができるようになる。
【０００４】
従属項に記載された手段および発展形態によって、独立請求項に記載された、シートマットのセンサセルを機械的プリロードに適合させるための方法を、有利に改善することができる。
【０００５】
特に有利には、測定値は制御装置のメモリに格納され、このメモリで補正値を、制御装置の動作持続時間中に常に使用できるように構成されている。このメモリは、初期に０値によって予め初期化されている。場合によっては、シートマットが新たに取り付けられる際にも、このメモリを再び、新たな補正値によって上書きすることもできる。
【０００６】
さらに、診断テスタを制御装置に接続する際、まずパスワードが該診断テスタによって問い合わされるという利点が得られる。こうすることにより、制御装置への安全なアクセスおよび制御装置のメモリの書き込みのみが可能になる。
【０００７】
さらに有利には、本方法を実施するために診断テスタが設けられている。この診断テスタは、制御装置に接続するためにデータ伝送インターフェースと、目標値に対して専用のメモリと、目標値とセンサ値との間で比較を実施するためにプロセッサとを有している。
【０００８】
また、本発明の方法を実施するために制御装置を設けることも有利である。この制御装置は、診断テスタに接続するための専用のデータ伝送インターフェースと、シートマットに接続するための別のデータ伝送インターフェースと、センサ値を評価するためにプロセッサと、補正値を記録するためにメモリとを有する。前記プロセッサは、たとえばマイクロコントローラである。
【０００９】
図面
本発明の実施例は図面に示されており、以下の説明においてより詳細に説明されている。
【００１０】
図１  本発明による診断テスタおよび制御装置のブロック回路図である。
【００１１】
図２  本発明による方法のフローチャートである。
【００１２】
図３  診断テスタおよび制御装置の内部構成をブロック回路図として示している。
【００１３】
説明
車両における乗員識別は、乗員拘束システムに対して、ますます意義が高まっている課題である。とりわけ、どの人に対してエアバッグを使用できるかということと、どの人に対してエアバッグを使用できないかということとを検出することが重要である。ここでは、適応調整可能なエアバッグにおいても、衝突時およびその結果生じるトリガ状況において、人の重量に依存して該エアバッグをトリガすることができる。したがって、最適な拘束力を、保護すべき人に対して発揮されるようにしなければならない。光センサおよび超音波センサの他に重量センサも使用され、ここではとりわけ、センサ素子を有するシートマットが使用される。各センサ素子は、感圧式の抵抗器として形成されている。これらのセンサ素子はマトリクスに配置されている。このマトリクスは、シートマットに対して使用される制御装置によって、周期的に問い合わせされる。個々のセンサ素子の抵抗は、該センサ素子に対して作用される圧力が大きいほど小さくなる。センサ素子によって着座プロフィールも形成され、この着座プロフィールによって、該当する人がどのように着座しているかという情報が得られる。シートマットを車両座席内に取り付けることにより、車両の状況が異なれば、個々のセンサ素子に対して異なる機械的プリロードが作用される。
【００１４】
本発明によれば、取り付け後に製造者側で診断テスタにより、個々のセンサ素子が、着座面に負荷がかからない場合にどれほどの値を有するかが検査される。こうすることにより補正値が導出され、この補正値によって、前記のような機械的プリロードに対し、取り付け状態に基づいて補償が行われる。したがって前記補正値は、動作中に補正値として使用される。
【００１５】
図１には、診断テスタが制御装置に接続されており、かつ該制御装置がシートマットに接続されている構成が、ブロック回路図として示されている。診断テスタ１はデータ入出力端を介して、シートマットのための制御装置２に接続されている。制御装置２のデータ１つの入力端には、異なるセンサ素子を有するシートマット３が接続されている。このシートマット３は、ここでは楕円形として示されている。別のデータ入力端を介して制御装置２は、たとえばバスを介して別の車両コンポーネントに接続されており、シートマットデータつまりセンサ値がこの車両コンポーネントへ、未処理の形態および／または評価された形態で伝送される。前記別のデータ入力端はここでは図示されておらず、前記車両コンポーネントは、たとえば乗員拘束システムである。
【００１６】
図３は、診断テスタ１および制御装置２の内部構成をブロック回路図として示している。診断テスタ１はデータ伝送インターフェース１０を有しており、このデータ伝送インターフェース１０を介して、診断テスタ１は制御装置２に接続されている。データ入出力端を介してデータ伝送インターフェース１０は、診断テスタ１のプロセッサ１１に接続されている。第２のデータ入力端を介して、プロセッサ１１はメモリ１２に接続されている。メモリ１２には、目標値およびパスワードが記憶されている。プロセッサ１１は、該目標値とセンサ値とを比較し、パスワード問い合わせを評価するために使用される。
【００１７】
データ伝送インターフェース１０は、診断テスタ１と制御装置２との間でデータ伝送を実行するために使用される。制御装置２は、第１のデータ伝送インターフェース１３と、別のデータ伝送インターフェース１６と、メモリ１５と、プロセッサ１４とを有している。前記プロセッサ１４は、ここではマイクロコントローラである。データ伝送インターフェース１３は、第１のデータ入力端を介して、診断テスタ１のデータ伝送インターフェース１０に接続されている。第２のデータ入力端を介して、データ伝送インターフェース１３はプロセッサ１４と接続されている。プロセッサ１４は、第２のデータ入力端を介してメモリ１５に接続されている。第３のデータ入力端では、プロセッサ１４はデータ伝送インターフェース１６に接続されている。データ伝送インターフェース１６は第２のデータ入力端を介して、制御装置２とセンサマット３とを接続する。メモリ１５は、パスワードを記憶し、センサ値に対する補正値を記憶するために使用される。プロセッサ１４はセンサ値の補正を実行し、その後センサ値はさらに処理される。データインターフェース１３および１６は、診断テスタ１とセンサマット３との間でデータ伝送を実行するために使用される。
【００１８】
図２には、本発明による方法がフローチャートとして示されている。ステップ４では、診断テスタ１が制御装置２と接続され、しかもデータ伝送インターフェース１０および１３を介して接続される。診断テスタ１と制御装置２との間でデータ伝送接続が初期化された後、制御装置２は診断テスタ１に対してパスワードを問い合わせ、該診断テスタのパスワードが一致しない場合、本方法を終了する。
【００１９】
しかし、パスワードが一致する場合、ステップ６においてセンサマット３のセンサ値が診断テスタ１によって読み出される。ステップ７では、プロセッサ１１はセンサ値と目標値とを比較する。この目標値は、プロセッサ１１によってメモリ１２から呼び出される。その後、目標値とセンサ値との差が、診断テスタ１によって制御装置２へ補正値として伝送される。プロセッサ１４はステップ９で、この補正値をメモリ１５に記憶する。センサマット３の作動中、プロセッサ１４は、センサマット３から読み出されたセンサ値と補正値とをメモリ１５に記憶する。このようにして、補正値はセンサ値を較正するために使用される。本方法は、着座面に負荷がかかっていない場合に使用されるので、センサマット３の取り付けに起因する機械的な負荷のみがセンサセルに作用する。
【図面の簡単な説明】
【００２０】
【図１】本発明による診断テスタおよび制御装置のブロック回路図である。
【００２１】
【図２】本発明による方法のフローチャートである。
【００２２】
【図３】診断テスタおよび制御装置の内部構成をブロック回路図として示している。
【図１】
2004534685.tif 000003
【国際公開パンフレット】
2004534685.tif 000004
2004534685.tif 000005
2004534685.tif 000006
2004534685.tif 000007
2004534685.tif 000008
2004534685.tif 000009
2004534685.tif 000010
2004534685.tif 000011
2004534685.tif 000012
2004534685.tif 000013
2004534685.tif 000014
2004534685.tif 000015
【国際調査報告】
2004534685.tif 000016
2004534685.tif 000017
2004534685.tif 000018
2004534685.tif 000019
2004534685.tif 000020
2004534685.tif 000021